(57)【要約】【課題】複数の展示物等を展示する手段は、平面状に展示するものであり、多面立体状の展示用枠体に複数の額縁を展示すると共に、組立、分解が容易で、且つ、展示物の着脱が容易な展示装置はなかった。【解決手段】本発明は、二面が延設された縦枠体と、縦枠体の一面を平面矩形状に固定する横枠体と、縦枠体に固定する額縁用固定具と、額縁用固定具に固定する額縁とを備え、額縁は四本の長い枠部材と、枠部材が係合される四個の隅連結部材とからなり、枠部材が長手方向軸線のまわりに回動するようにされ、枠部材は中仕切によって第一の部分と第二の部分とに分割され、第二の部分は隅連結部材が固定されると共に、縦枠体を横枠体で固定することにより展示用枠体を形成し、額縁用固定具の固定具側面を第二の部分に挿通させ枠部材が長手方向軸線のまわりに回動するように係合させた。【選択図】図１
2004290277.tif 000002
【特許請求の範囲】
【請求項１】
長手方向に角部を有して二面が延設されたアングル状の複数の縦枠体と、該隣り合う縦枠体の夫々の一面を平行に間隔を有して上下端部を平面矩形状に夫々固定する横枠体と、前記夫々の縦枠体の夫々の面に適宜な間隔を有して固定する固定部と固定具側面とを設けた複数の額縁用固定具と、該複数の額縁用固定具に固定する複数の額縁とを備え、前記額縁は二本宛の長さが等しい四本の長い枠部材と、該枠部材より短く外側角部を形成するための交叉する側面を有し、その側面に枠部材がお互いに角度をつけて取付けられ、その側面は枠部材が係合される四個の隅連結部材とからなり、枠部材がその長手方向軸線のまわりに回動するようにされ、前記枠部材は上部に前面係合部を有すると共に上面を突出方向に向けて下方に曲げ、解放位置でその先端を前記前面係合部より突出させた中仕切によって第一の部分と第二の部分とに分割され、前記第一の部分は収容される物の縁部を挟持するように形成され、前記第二の部分は前記隅連結部材が固定されるように形成され、前記枠部材が前記隅連結部材に対して解放位置及び閉鎖位置に夫々固定される固定手段を設けると共に、前記複数の縦枠体を複数の横枠体で固定することにより多面体の筒状立体状の展示用枠体を形成し、前記複数の額縁用固定具の固定具側面を前記複数の額縁の枠部材の第二の部分に夫々挿通させ夫々の枠部材がその長手方向軸線のまわりに回動するように係合させたことを特徴とする多面立体展示装置。
【発明の詳細な説明】
【０００１】
【産業上の利用分野】
本発明は多面の立体展示装置に関するものであり、更に詳細には、周側面に多面を有する四角筒状、六角筒状、星形筒状等に組設した筒状立体状の展示用枠体に多数の額縁を固定した多面立体展示装置に関するものである。
【０００２】
【従来技術】
従来、この種の複数の展示物等を展設状態で展示する手段は各種考えられ、実施されており、例えば、一平面内で相対的に変更可能な位置に単位展示物を展示する装置（特許文献１参照）や、絵画、文字等を表した表示体を前面が開口した看板ケースに内装すると共に透明板を該ケースの前面開口部に装着して成る看板を、囲い板の看板取付用開口部に嵌着した囲い（特許文献２参照）や、可動模擬窓（特許文献３参照）等が開示されており、又、額縁に関しては本願出願人が先に開示した枠（特許文献４参照）を用いるものである。
【０００３】
【特許文献１】
特開平６−１７８７１７号公報
【特許文献２】
実開平５−４９９６２号公報
【特許文献３】
登録実用新案第３０３１３６６号公報
【特許文献４】
特開平９−１６４０４８号公報
【０００４】
【発明が解決しようとする課題】
然し乍ら、従来の複数の展示物等を展設状態で展示する手段は、何れも同一平面状に複数の展示物を展示するものであり、周側面に多面を有する四角筒状、六角筒状、星形筒状等に組設した多面立体状の展示用枠体に複数の展示物を額縁に入れて展示できると共に、組立、分解が容易で、且つ、複数の展示物の着脱が夫々容易な展示装置はなかった。
【０００５】
【課題を解決するための手段】
本発明は、前述の課題に鑑み、鋭意研鑽の結果、長手方向に角部を有して二面が延設された複数の縦枠体と、隣り合う縦枠体の一面を平面矩形状に固定する横枠体と、縦枠体に固定する固定部と固定具側面とを設けた複数の額縁用固定具と、額縁用固定具に固定する額縁とを備え、額縁は四本の長い枠部材と、外側角部を形成するための側面を有し、側面に枠部材がお互いに取付けられ、側面は枠部材が係合される四個の隅連結部材とからなり、枠部材が長手方向軸線のまわりに回動するようにされ、枠部材は前面係合部を有すると共に上面を下方に曲げ、中仕切によって第一の部分と第二の部分とに分割され、第一の部分は収容される物の縁部を挟持するように形成され、第二の部分は隅連結部材が固定されるように形成され、枠部材が隅連結部材に対して解放位置及び閉鎖位置に夫々固定される固定手段を設けると共に、複数の縦枠体を複数の横枠体で固定することにより展示用枠体を形成し、複数の額縁用固定具の固定具側面を複数の額縁の枠部材の第二の部分に挿通させ枠部材が長手方向軸線のまわりに回動するように係合させたものである。
【０００６】
【発明の作用】
本発明の多面立体展示装置は、複数のアングル状の縦枠体を備え、隣り合う縦枠体の一面を平行に間隔を有して上下端部を横枠体で夫々固定して平面矩形面を形成することを順次繰り返すことにより周側面に多面の筒状立体状の展示用枠体を形成し、夫々の縦枠体に固定した複数の額縁用固定具に複数の額縁を固定するもので、額縁の枠部材はその長手方向軸線のまわりに回動するように係合されおり、展示物の挿脱は額縁の前面から行えるものである。
【０００７】
従って、本発明の目的は、隣り合う縦枠体と上下の横枠体とで平面矩形状の面を連続して形成し周側面に多面の筒状立体状の展示用枠体を形成ものであり、ボルトナット等の着脱自在の固定ができることから巨大のものでも組立、分解が容易に現地ででき、更に、複数の額縁を全周方向に展示でき、夫々の展示物の挿脱も前面からできる多面立体展示装置を提供するものである。
【０００８】
【発明の実施の形態】
以下、本発明の多面立体展示装置の実施の形態の図面によって具体的に説明する。
【０００９】
図１は本発明の多面立体展示装置の実施の形態を説明するための斜視図あり、図２は本発明の多面立体展示装置の展示用枠体の実施の形態を説明するための斜視図あり、図３は本発明の多面立体展示装置の実施の形態の額縁を説明するための斜視図であり、図４は本発明の多面立体展示装置の実施の形態の隅連結部材を説明する断面図あり、図５は本発明の多面立体展示装置の実施の形態の枠部材と額縁用固定具との係合状態を説明する断面図あり、図６は本発明の多面立体展示装置の次の実施の形態の展示用枠体を説明する正面図と平面図であり、図７は本発明の多面立体展示装置の他の実施の形態の展示用枠体を説明す固定部４ａと固定具側面４ｂとを設けたる正面図と平面図であり、図８は本発明の多面立体展示装置の更にその他の実施の形態の展示用枠体を説明する正面図と平面図である。
【００１０】
本発明は多面の立体展示装置に関するものであり、更に詳細には、多面を有する四角筒状、六角筒状、星形筒状等に組設した筒状立体状の展示用枠体に多数の額縁を固定した多面立体展示装置に関するものであり、長手方向に角部を有して二面が延設されたアングル状の複数の縦枠体２と、該隣り合う縦枠体２の夫々の一面を平行に間隔を有して上下端部を平面矩形状に夫々固定する横枠体３と、前記夫々の縦枠体２の夫々の面に適宜な間隔を有して固定する固定部４ａと固定具側面４ｂとを設けた複数の額縁用固定具４と、該複数の額縁用固定具４に固定する複数の額縁５とを備え、前記額縁５は二本宛の長さが等しい四本の長い枠部材６と、該枠部材６より短く外側角部を形成するための交叉する側面７ａを有し、その側面に枠部材６がお互いに角度をつけて取付けられ、その側面７ａは枠部材６が係合される四個の隅連結部材７とからなり、枠部材６がその長手方向軸線のまわりに回動するようにされ、前記枠部材６は上部に前面係合部６ａを有すると共に上面を突出方向に向けて下方に曲げ、解放位置でその先端を前記前面係合部６ａより突出させた中仕切６ｂによって第一の部分６ｃと第二の部分６ｄとに分割され、前記第一の部分６ｃは収容される物の縁部（図示しない）を挟持するように形成され、前記第二の部分６ｄは前記隅連結部材７が固定されるように形成され、前記枠部材６が前記隅連結部材７に対して解放位置及び閉鎖位置に夫々固定される固定手段６ｅ．７ｂを設けると共に、前記複数の縦枠体２を複数の横枠体３で固定することにより多面体の筒状立体状の展示用枠体１を形成し、前記複数の額縁用固定具４の固定具側面４ｂを前記複数の額縁５の枠部材６の第二の部分６ｄに夫々挿通させ夫々の枠部材６がその長手方向軸線のまわりに回動するように係合させたものである。
【００１１】
即ち、本発明は多面立体展示装置の縦枠体２は長手方向に角部を有して二面が延設されたアングル状のもので、その二面は３０度、４５度、６０度、９０度、１２０度等の角度をもって延設されているもので、例えば、９０度の縦枠体２を四本用いることにより、周側方向に四面を有した筒状立体状の展示用枠体１と成り、１２０度の縦枠体を６本用いることにより、周側方向に六面を有した筒状立体状の展示用枠体１と成るものである。
【００１２】
そして、横枠体３は図２に図示する実施の形態では９０度のアングルを用いているものであるが、平板状のものでも構わなく、前記二本の縦枠体２の上下端部を確りと平面矩形状に固定できるものなら良く、固定は溶接等の手段もあるが、ボルトナットで固定することが組立分解を可能として好ましいものである。
【００１３】
次に、額縁用固定具４は図５に図示する如く固定部４ａと固定具側面４ｂと、固定部４ａと固定具側面４ｂとを接続する固定具湾曲部４ｃとから成り、夫々の縦枠体２の夫々の面に上下に適宜な間隔を有して螺子止め又は溶着等の手段によって固定するものであるが、少なくとも後述する額縁５一枚に対して両側に一個宛固定するものである。
【００１４】
次いで、複数の額縁５は、図３に図示する如く、二本宛の長さが等しい縁となる四本の長い枠部材６と、四本の長い枠部材６を矩形状に接続する四個の隅連結部材７から成るものであり、後述するように枠部材６が長手方向軸線のまわりに、つまり、額縁５の表面方向に回動するものである。
【００１５】
そして、前記額縁５は本件出願人が先に開示した枠（特許文献４参照）を用いるもので、つまり、額縁５の枠部材６は図５に図示する如く、長手方向の断面形状は略同形状であり、上部に収納される物の縁部支持するように形成された前面係合部６ａと、上面を突出方向に向けて下方に曲げ解放位置でその先端を前面係合部６ａより突出させた中仕切６ｂとを有し、中仕切６ｂによって第一の部分６ｃと第二の部分６ｄとに分割されており、第一の部分６ｃには収容される絵や写真等の縁部を挿通させるもので、第二の部分６ｄには後述する隅連結部材７の側面７ａ、及び、額縁用固定具４の固定具側面４ｂが回動可能に挿通されるものである。
【００１６】
更に、隅連結部材７は、図４に図示する如く、直角角部を有する略三角形状のもので、枠部材６より短く外側に直角角部を形成するための交叉する二つの側面７ａを厚さ方向に有しているものである。
【００１７】
更には、四本の枠部材６と四個の隅連結部材７の組み付けは、夫々の側面７ａに夫々枠部材６がお互いに角度をつけて取付けられ、枠部材６の第二の部分６ｄに側面７ａが係合されることでその長手方向軸線のまわりに回動するように組み付けられるものである。
【００１８】
そして、枠部材６が隅連結部材７に対して解放位置及び閉鎖位置に夫々固定される固定手段６ｅ．７ｂを設けたものである。
【００１９】
更に、展示用枠体１は隣り合う縦枠体２の上下端部を夫々横枠体３で固定することにより平面矩形状の一面を形成し、次々と展設していくことで多面の筒状立体状に成るものであり、例えば、図２に図示する如く、六本の１２０度の角部を有する縦枠体２を用いて、上下端部を横枠体３で固定すると正六角形の筒状立体状の展示用枠体１と成り、図６に図示するものは、二本の１２０度の角部を有する縦枠体２と二本の３０度の角部を有する縦枠体２と組み合わせ菱形の筒状立体状の展示用枠体１としたもので、更に、図７に図示する如く、星形の十面の平面矩形状を有する筒状立体状の展示用枠体１も、図８に図示する如く、変形の六面の平面矩形状を有する筒状立体状の展示用枠体１も組設できるものである。
【００２０】
更には、複数の額縁５の枠部材６は第二の部分６ｄに長手方向軸線のまわりに回動するように額縁用固定具４の固定具側面４ｂを挿通させて係合しているため、額縁５の表方向から枠部材６を回動させて展示物等の挿脱が可能とするものである。
【００２１】
つまり、本発明の多面立体展示装置は、額縁用固定具４に固定された額縁５の枠部材６は長手方向軸線のまわりに回動することから、額縁５の何れか一辺の横方向にスペースが有れば展示物等の交換が可能で、更に、枠部材６は長手方向の断面が略同一で有ることから、挿通させた額縁用固定具４の固定具側面４ｂが枠部材６の第二の部分６ｄの内側をスライド可能であり、若干巾の移動を容易としているものである。
【００２２】
【発明の効果】
本発明の多面立体展示装置は、前述の構成により、複数のアングル状の縦枠体を備え、隣り合う縦枠体の一面を平行に間隔を有して上下端部を横枠体で夫々固定して平面矩形面を形成することを順次繰り返すことにより多面の筒状立体状の展示用枠体を形成し、夫々の縦枠体に固定した複数の額縁用固定具に複数の額縁を固定するもので、額縁の枠部材はその長手方向軸線のまわりに回動するように係合されるもので、展示物の挿脱は額縁の前面から行えるもので、画期的で実用性の高い発明である。
【図面の簡単な説明】
【図１】図１は本発明の多面立体展示装置の実施の形態を説明するための斜視図ある。
【図２】図２は本発明の多面立体展示装置の展示用枠体の実施の形態を説明するための斜視図ある。
【図３】図３は本発明の多面立体展示装置の実施の形態の額縁を説明するための斜視図である。
【図４】図４は本発明の多面立体展示装置の実施の形態の隅連結部材を説明する断面図ある。
【図５】図５は本発明の多面立体展示装置の実施の形態の枠部材と額縁用固定具との係合状態を説明する断面図ある。
【図６】図６は本発明の多面立体展示装置の次の実施の形態の展示用枠体を説明する正面図と平面図である。
【図７】図７は本発明の多面立体展示装置の他の実施の形態の展示用枠体を説明する正面図と平面図である。
【図８】図８は本発明の多面立体展示装置の更にその他の実施の形態の展示用枠体を説明する正面図と平面図である。
【符号の説明】
１      展示用枠体
２      縦枠体
３      横枠体
４      額縁用固定具
４ａ    固定部
４ｂ    固定具側面
４ｃ    固定具湾曲部
５      額縁
６      枠部材
６ａ    前面係合部
６ｂ    中仕切
６ｃ    第一の部分
６ｄ    第二の部分
６ｅ    固定手段
７      隅連結部材
７ａ    側面
７ｂ    固定手段
【図１】
2004290277.tif 000003
【図２】
2004290277.tif 000004
【図３】
2004290277.tif 000005
【図４】
2004290277.tif 000006
【図５】
2004290277.tif 000007
【図６】
2004290277.tif 000008
【図７】
2004290277.tif 000009
【図８】
2004290277.tif 000010